(57)【要約】【課題】二匹三匹と連続的に捕獲できる動物捕獲器を提供する。【解決手段】入口から捕獲室に通じる第１の通路および第２の通路は、第１の通路を上階とし第２の通路を下階とする階層構造であり、  入口から第１の通路にかけて、下階に形成された入口から進入した動物が上階の第１の通路に向かって登るための第１の揺動部材と、第１の揺動部材を登った動物が上階の第１の通路に進入するための第１の開口と、第１の開口から進入した動物が載った重みで第１の揺動部材を跳ね上げて第１の開口を塞ぐための第１の踏み板とが設けられ、  第２の通路には、進入した動物の逆戻りを不可能とする第１および第２の逆戻り不能構造が設けられ、  第１の踏み板を動作させないように一時的に固定する第１の固定手段と、第１の揺動部材が跳ね上げられた状態で戻らないように一時的に固定する第２の固定手段とをさらに備える。【選択図】図１
2014180258.tif 000002
【特許請求の範囲】
【請求項１】
入口から進入した捕獲対象動物を複数収容可能な捕獲室と、上記入口から上記捕獲室に通じる第１の通路と、上記入口から上記捕獲室に通じる第２の通路とを備え、
上記第１の通路と第２の通路は、第１の通路を上階とし第２の通路を下階とする階層構造であり、
上記入口から第１の通路にかけて、下階に形成された上記入口から進入した捕獲対象動物が上階の第１の通路に向かって登るための第１の揺動部材と、第１の揺動部材を登った捕獲対象動物が上階の第１の通路に進入するための第１の開口と、上記第１の開口から進入した捕獲対象動物が載った重みで上記第１の揺動部材を跳ね上げて第１の開口を塞ぐための第１の踏み板とが設けられ、
上記第２の通路には、進入した捕獲対象動物の逆戻りを不可能とする逆戻り不能構造が設けられ、
上記第１の踏み板を動作させないように一時的に固定する第１の固定手段と、上記第１の揺動部材が跳ね上げられた状態で戻らないように一時的に固定する第２の固定手段とをさらに備えている
ことを特徴とする動物捕獲器。
【請求項２】
上記第２の固定手段は、動物捕獲器の外側からの操作によって固定状態を解除しうる解除操作部を有する請求項１記載の動物捕獲器。
【請求項３】
上記逆戻り不能構造として、
第２の通路に進入した捕獲対象動物がさらに進入するための第２の開口と、揺動することにより上記第２の開口を開閉する第２の揺動部材と、上記入口から進入して第２の通路に進入した捕獲対象動物が載った重みで上記第２の揺動部材を跳ね上げて第２の開口を開くための第２の踏み板とが形成されている
請求項１または２記載の動物捕獲器。
【請求項４】
上記逆戻り不能構造として、
上記第２の通路に進入した捕獲対象動物がさらに進入するための第３の開口と、
揺動することにより上記第３の開口を開閉し、捕獲対象動物の進入によって開き、捕獲対象動物が通過すると閉じるように構成された第３の揺動部材とが形成されている
請求項１〜３のいずれか一項に記載の動物捕獲器。
【発明の詳細な説明】
【技術分野】
【０００１】
本発明は、ネズミやアライグマ等の動物を捕獲するために使用される動物捕獲器に関するものである。
【背景技術】
【０００２】
従来より、ネズミやアライグマ等の動物を捕獲するための捕獲装置としては、例えば下記の特許文献１や特許文献２に示すシーソー板を利用したものが提供されている。
【０００３】
特許文献１の害虫害獣捕獲箱は、入口から入った鼠がシーソー（３）の中央より奥に入って行くと、その重さによってシーソー（３）の奥側が少し下がる。すると、回転軸（７）が下側に離れているのでバランスがくずれ、奥側がいっきに底まで下がり、シーソー（３）下部の磁石（４）と箱底の磁石（５）の吸引力で固定される。この状態で入口がふさがれることにより鼠が逃げられないようにしている。
【０００４】
特許文献２の齧歯類捕獲器は、入口から入った鼠が傾斜板（９３）の中央より奥に入って行くと、傾斜板（９３）で入口が塞がれ、その状態で捕獲板（９８）によって傾斜板（９３）が戻らなくなり、鼠が逃げられないようにしている。
なお、括弧内の符号は、公報に掲載されたものである。
【先行技術文献】
【特許文献】
【０００５】
【特許文献１】実用新案登録第３１１３７８６号公報
【特許文献２】特開昭６１−２６０８２７号公報
【発明の概要】
【発明が解決しようとする課題】
【０００６】
上記特許文献１の害虫害獣捕獲箱は、シーソー（３）の奥側がいっきに下がったときに磁石（４）（５）の吸引力で固定するようになっている。このため、一匹の鼠を捕獲すると、次の鼠がやってきたとしても捕獲することはできない。１つの捕獲箱で捕獲できる鼠の数は一匹が限度である。また、捕獲された鼠が驚いて暴れだすと、磁石（４）（５）が外れてしまい、せっかく捕獲した一匹の鼠にも逃げられてしまう。そうなると、捕獲成果はゼロということになってしまう。
【０００７】
上記特許文献２の齧歯類捕獲器は、捕獲板（９８）によって傾斜板（９３）が戻らなくなり、鼠が逃げられないようにしている。このため、一匹の鼠を捕獲すると、次の鼠がやってきたとしても捕獲することはできない。１つの捕獲箱で捕獲できる鼠の数は一匹が限度である。また、捕獲された鼠が驚いて暴れだすと、傾斜板（９３）が外れてしまい、せっかく捕獲した一匹の鼠にも逃げられてしまう。そうなると、捕獲成果はゼロということになってしまう。
【０００８】
本発明は、上記課題を解決するためになされたものであり、一匹だけでなく二匹目三匹目と連続的に捕獲対象動物を捕獲できる動物捕獲器を提供することをその目的とする。
【課題を解決するための手段】
【０００９】
上記の目的を達成するため、本発明の動物捕獲器は、入口から進入した捕獲対象動物を複数収容可能な捕獲室と、上記入口から上記捕獲室に通じる第１の通路と、上記入口から上記捕獲室に通じる第２の通路とを備え、
上記第１の通路と第２の通路は、第１の通路を上階とし第２の通路を下階とする階層構造であり、
上記入口から第１の通路にかけて、下階に形成された上記入口から進入した捕獲対象動物が上階の第１の通路に向かって登るための第１の揺動部材と、第１の揺動部材を登った捕獲対象動物が上階の第１の通路に進入するための第１の開口と、上記第１の開口から進入した捕獲対象動物が載った重みで上記第１の揺動部材を跳ね上げて第１の開口を塞ぐための第１の踏み板とが設けられ、
上記第２の通路には、進入した捕獲対象動物の逆戻りを不可能とする逆戻り不能構造が設けられ、
上記第１の踏み板を動作させないように一時的に固定する第１の固定手段と、上記第１の揺動部材が跳ね上げられた状態で戻らないように一時的に固定する第２の固定手段とをさらに備えていることを要旨とする。
【発明の効果】
【００１０】
本発明の動物捕獲器では、まず、第１の揺動部材を捕獲対象動物が第１の通路に進入するのを受け入れる初期位置にする。第１の固定手段により、第１の踏み板を動作させないように一時的に固定する。捕獲室には、捕獲対象動物が好む餌などの誘引物を置いておく。
【００１１】
こうした動物捕獲器を所定の捕獲場所に仕掛けておく。この状態では、捕獲対象動物は、入口から進入して第１の揺動部材を登り、第１の開口から上階の第１の通路を通って捕獲室まで、自由に行き来できる。しばらくの期間そうしておいて、捕獲対象動物を自由に行き来させて餌付けを行う。
【００１２】
充分に餌付けされた頃を見計らって、第１の踏み板が動作するように第１の固定手段を解除する。第１の揺動部材は、捕獲対象動物が第１の通路に進入するのを受け入れる初期位置にする。こうした動物捕獲器を餌付けを行った元の捕獲場所に再び仕掛けておく。
【００１３】
一匹目の捕獲対象動物が下階の入口から進入すると、その一匹目の捕獲対象動物は、第１の揺動部材の上を登って第１の開口を通り、上階の第１の通路に達する。第１の通路を通過するときに、第１の踏み板に載る。上記第１の開口から進入した捕獲対象動物が載った重みで、上記第１の揺動部材が跳ね上がって第１の開口が塞がれる。第１の揺動部材が跳ね上がると第２の固定手段が動作して、第１の揺動部材が跳ね上げられた状態で戻らないように一時的に固定される。この状態で、第１の開口が塞がって通れなくなることから、一匹目の捕獲対象動物は出られず、捕獲室に捕獲される。
【００１４】
一匹目の捕獲対象動物が捕獲されると、第１の揺動部材は跳ね上げられた状態で戻らないように一時的に固定されている。この状態で、下階の入口がおなじ下階の第２の通路と行き来できるようになる。
【００１５】
したがって、二匹目以降の捕獲対象動物が入口から進入すると、第２の通路を通って捕獲室に入る。第２の通路には、進入した捕獲対象動物の逆戻りを不可能とする逆戻り不能構造が設けられており、捕獲室に入った二匹目以降の捕獲対象動物は出られない。
【００１６】
このようにして、一匹だけでなく二匹目三匹目・・・と連続的に捕獲対象動物を捕獲することができる。
【００１７】
本発明において、上記第２の固定手段は、動物捕獲器の外側からの操作によって固定状態を解除しうる解除操作部を有する場合には、
動物捕獲器の外側から解除操作部を操作して第２の固定手段の固定状態を解除し、初期状態に戻して同じように繰り返し仕掛けることができる。
【００１８】
本発明において、上記逆戻り不能構造として、
第２の通路に進入した捕獲対象動物がさらに進入するための第２の開口と、揺動することにより上記第２の開口を開閉する第２の揺動部材と、上記入口から進入して第２の通路に進入した捕獲対象動物が載った重みで上記第２の揺動部材を跳ね上げて第２の開口を開くための第２の踏み板とが形成されている場合には、
二匹目以降の捕獲対象動物が第２の通路に進入すると、第２の踏み板に載った重みで上記第２の揺動部材が跳ね上がって第２の開口が開く。第２の開口からさらに奥に進むと、第２の踏み板への荷重がなくなり、第２の揺動部材が戻って第２の開口が閉じる。こうして、第２の通路に進入した捕獲対象動物が第２の開口からさらに奥に進入すると、逆戻りできなくなり、捕獲室に捕獲される。
【００１９】
本発明において、上記逆戻り不能構造として、
上記第２の通路に進入した捕獲対象動物がさらに進入するための第３の開口と、
揺動することにより上記第３の開口を開閉し、捕獲対象動物の進入によって開き、捕獲対象動物が通過すると閉じるように構成された第３の揺動部材とが形成されている場合には、
二匹目以降の捕獲対象動物が第２の通路に進入すると、捕獲対象動物の進入によって第３の揺動部材が揺動して上記第３の開口が開く。捕獲対象動物が第３の開口を通過すると第３の揺動部材が戻って上記第３の開口が閉じる。こうして、第２の通路に進入した捕獲対象動物が第３の開口からさらに奥に進入すると、逆戻りできなくなり、捕獲室に捕獲される。
【図面の簡単な説明】
【００２０】
【図１】本発明の一実施形態における動物捕獲器の全体構造を示す断面図である。
【図２】餌付け構造部の構造と動作を説明する断面図である。
【図３】第１の逆戻り不能構造部の構造と動作を説明する断面図である。
【図４】第２の逆戻り不能構造部の構造と動作を説明する図である。
【発明を実施するための形態】
【００２１】
以下、本発明の動物捕獲器の実施形態について詳細に説明する。
【００２２】
図１は、本実施形態における動物捕獲器の全体構造を示す断面図である。
【００２３】
この動物捕獲器１は、前後方向に延びる直方体状に形成されている。上記動物捕獲器１は、入口２から進入した捕獲対象動物を複数収容可能な捕獲室３と、上記入口２から上記捕獲室３に通じる第１の通路１１と、上記入口２から上記捕獲室３に通じる第２の通路１２とを備えている。上記入口２は、動物捕獲器１の前（図示の左）側の壁面に設けられている。上記捕獲室３は、入口２から見て、第１の通路１１および第２の通路１２を経由した奥に設けられている。
【００２４】
上記第１の通路１１と第２の通路１２は、第１の通路１１を上階とし第２の通路１２を下階とする階層構造である。上記入口２は下階に形成されている。上階の第１の通路１１と下階の第２の通路１２は、仕切り板１３で仕切られている。上記仕切り板１３は第１の通路１１において床面となり、第２の通路１２で天井面となる。
【００２５】
上記入口２から第１の通路１１にかけて、捕獲対象動物を餌付けするための餌付け構造部４１が設けられている。
【００２６】
上記第２の通路１２には、進入した捕獲対象動物の逆戻りを不可能とする第１の逆戻り不能構造部２１および第２の逆戻り不能構造部３１が設けられている。
【００２７】
図２は、上記餌付け構造部４１の構造と動作を説明する図である。
【００２８】
上記餌付け構造部４１は、下階に形成された上記入口２から進入した捕獲対象動物が上階の第１の通路１１に向かって登るための第１の揺動部材５と、第１の揺動部材５を登った捕獲対象動物が上階の第１の通路１１に進入するための第１の開口６と、上記第１の開口６から進入した捕獲対象動物が載った重みで上記第１の揺動部材５を跳ね上げて第１の開口６を塞ぐための第１の踏み板７とを備えて構成されている。
【００２９】
上記第１の揺動部材５は、軸５ａを軸心にしてシーソーのように揺動しうるようになっている。上記第１の揺動部材５は、軸５ａを境に入口２側が奥側よりも長く設定され、初期状態で入口２側が下がるように位置される。初期状態の第１の揺動部材５を入口２側から見ると登り傾斜となる。したがって、初期状態で入口２から侵入した捕獲対象動物は、第１の揺動部材５の上を駆け上って第１の開口６を通り、第１の通路１１に進入しうるようになっている（図の矢印Ａ）。
【００３０】
上記第１の開口６は、上記仕切り板１３において、第１の揺動部材５の上に位置するように設けられている。上記第１の開口６は、第１の揺動部材５の入口２側が跳ね上がったときに、第１の揺動部材５によって塞がれるようになっている。
【００３１】
上記仕切り板１３には、第１の開口６よりも奥側に、第１の踏み板７を第１の通路１１に露呈させる露呈開口１０が設けられている。
【００３２】
上記第１の踏み板７は、上記露呈開口１０の下側において、軸７ａを軸心にしてシーソーのように揺動しうるようになっている。上記第１の踏み板７は、軸７ａを境に入口２側が奥側よりも長く設定されている。そして、初期状態において、入口２側の端部近傍が、第１の揺動部材５の奥側端部の上に接触している。この状態で、第１の通路１１に進入した捕獲対象動物が、露呈開口１０から露呈した第１の踏み板７の上に載ると、第１の踏み板７の入口２側が下方に揺動して第１の揺動部材５の奥側端部を押し下げる（図示の矢印Ｂ）。第１の揺動部材５は奥側端部が押し下げられることにより入口２側が跳ね上がり（図示の矢印Ｃ）、第１の開口６が塞がれるとともに、入口２からみて第２の通路１２が開かれる。第１の踏み板７の上に載った捕獲対象動物は、さらに奥に進んで捕獲室３に捕獲される（図示の矢印Ｄ）。
【００３３】
上記餌付け構造部４１は、上記第１の踏み板７を動作させないように一時的に固定する第１の固定手段８と、上記第１の揺動部材５が跳ね上げられた状態で戻らないように一時的に固定する第２の固定手段９とをさらに備えている。
【００３４】
上記第１の固定手段８は、上記第１の踏み板７の揺動を規制する規制部材１４と、上記規制部材を支持する支持開口１５とから構成されている。上記規制部材１４は、第１の踏み板７の下側で左右に渡るように支持されたワイヤ部材である。上記規制部材１４は、左右壁面に設けられた支持開口１５に支持されている。上記支持開口１５は、第１の踏み板７の入口２側が下方に揺動するのを規制する第１の位置と、第１の踏み板７の入口２側が下方に揺動するのを許容する第２の位置と、それぞれの位置で規制部材１４を支持しうるようになっている。
【００３５】
図２（Ａ）は規制部材１４を第１の位置に支持した状態であり、図２（Ｂ）は規制部材１４を第２の位置に支持した状態である。
【００３６】
規制部材１４を第１の位置に支持した状態では、第１の踏み板７が動作しないため、捕獲対象動物は、入口２から第１の通路１１を通って捕獲室３までの間を自由に行き来できる。この状態で、捕獲室３に餌等の誘引物を置いて所定期間おいておく。この間捕獲対象動物は捕獲されないが、動物捕獲器１に慣れて餌付けされる。規制部材１４を第１の位置に支持した状態が餌付けモードである。
【００３７】
上記第２の固定手段９は、入口２の上側に設けられ、上記第１の揺動部材５が跳ね上げられたときに、第１の揺動部材５の入口２側端部に形成されたフック５ｂを引っ掛けて戻らないように一時的に固定する。上記第２の固定手段９は、軸９ｂを軸として回動する屈曲片であり、奥側には上記フック５ｂを引っ掛けて止める係止部９ａが形成されている。
【００３８】
また、上記第２の固定手段９は、動物捕獲器１の外側からの操作によって固定状態を解除しうる解除操作部９ｃを有する。解除操作部９ｃは屈曲片が外側に突出した部分であり、手指で把持して屈曲片を回動させることにより、係止部９ａとフック５ｂの係止を解除することができる。
【００３９】
上記規制部材１４を第２の位置に支持した状態では、第１の踏み板７が動作して第１の開口６が塞がれるとともに、入口２からみて第２の通路１２が開かれる。この状態で第２の固定手段９の動作により、第１の踏み板７は跳ね上げられた位置で一時的に固定される。そうすると、入口２からみて第２の通路１２が開かれ、以降、捕獲対象動物は第２の通路１２を通って捕獲室３に捕獲される。
【００４０】
図３は、上記第１の逆戻り不能構造部２１を説明する図である。
【００４１】
上記第１の逆戻り不能構造部２１は、
第２の通路１２に進入した捕獲対象動物がさらに進入するための第２の開口２２と、揺動することにより上記第２の開口２２を開閉する第２の揺動部材２３と、上記入口２から進入して第２の通路１２に進入した捕獲対象動物が載った重みで上記第２の揺動部材２３を跳ね上げて第２の開口２２を開くための第２の踏み板２４とが、第２の通路１２に形成されて構成されている。
【００４２】
上記第２の開口２２は、第２の通路１２の途中に設けられた壁２６に形成されている。上記第２の揺動部材２３は、軸２３ａを軸にしてシーソーのように揺動する板状体である。上記第２の揺動部材２３は、初期状態において、上記第２の開口２２に臨むように奥に向かって下り傾斜するように配置されている。上記軸２３ａの下側には、第２の揺動部材２３を動作させるための動作片２３ｂが突出形成されている。
【００４３】
一方、上記第２の踏み板２４は、上記入口２から進入して第２の通路１２に進入した捕獲対象動物が載った重みで上記第２の揺動部材２３を跳ね上げて第２の開口２２を開く。上記第２の踏み板２４は、入口２近くの軸２４ａに軸支されてシーソーのように揺動するようになっている。上記第２の踏み板２４の奥側が、第２の揺動部材２３の動作片２３ｂと連結部材２５で連結されている。
【００４４】
捕獲対象動物が第２の通路１２に進入して第２の踏み板２４の上に載ると、第２の踏み板２４の奥側が下方に揺動する（図示の矢印Ｅ）。そうすると、連結部材２５を介して第２の揺動部材２３の動作片２３ｂが下方に引っ張られ、第２の揺動部材２３の奥側が跳ね上がる（図示の矢印Ｆ）。このように、第２の揺動部材２３が揺動して第２の開口２２が開くと、捕獲対象動物は第２の開口２２を通って第２の通路１２をさらに奥に進む（図示の矢印Ｇ）。
【００４５】
捕獲対象動物が第２の踏み板２４の上からいなくなると、第２の揺動部材２３は再びもとの位置に戻るように揺動し、第２の開口２２が閉じる。この状態で、第２の開口２２より奥に進んだ捕獲対象動物は逆戻りできなくなる。
【００４６】
図４は、上記第２の逆戻り不能構造部３１を説明する図である。
【００４７】
上記第２の逆戻り不能構造部３１は、
上記第２の通路１２に進入した捕獲対象動物がさらに進入するための第３の開口３２と、
揺動することにより上記第３の開口３２を開閉し、捕獲対象動物の進入によって開き、捕獲対象動物が通過すると閉じるように構成された第３の揺動部材３３とが、第２の通路１２に形成されて構成されている。
【００４８】
上記第３の開口３２は、第２の通路１２とその奥の捕獲室３を隔てる壁３５に形成されている。この例では、上記壁３５は第１の通路１１と捕獲室３を連通させる連通部３６を残して形成されている。第３の開口３２は、上記壁３５の上側部がＵ字状に切り欠かれた切欠部として形成されている。
【００４９】
上記第２の通路１２には、第２の開口２２の奥側から上記第３の開口３２に向かって登り傾斜する傾斜板３４が設けられている。第２の開口２２を通過した捕獲対象動物が登って第３の開口３２から奥に進むためのものである。
【００５０】
上記第３の揺動部材３３は、軸３３ａを軸にしてその奥側がシーソーのように上下に揺動する。第３の揺動部材３３の奥側端部には、上記第３の開口３２を遮蔽する遮蔽板３７が垂下している。上記遮蔽板３７には、第３の揺動部材３３の奥側が上方に揺動したときに、第３の開口３２を開くための逆Ｕ字状の切欠部３３ｂが形成されている。
【００５１】
第２の開口２２を通過した捕獲対象動物は、傾斜板３４の上を登って第３の揺動部材３３を下から押し上げて揺動させ、それによって開いた第３の開口３２から奥に進んで捕獲室３に捕獲される。捕獲対象動物は捕獲室３に入ると、第３の揺動部材３３は自重で元の位置に戻るように揺動する。この状態で、第３の開口３２より奥に進んだ捕獲対象動物は逆戻りできなくなる。
【００５２】
本実施形態の動物捕獲器１では、まず、第１の揺動部材５を捕獲対象動物が第１の通路１１に進入するのを受け入れる初期位置にする。第１の固定手段８により、第１の踏み板７を動作させないように一時的に固定する。捕獲室３には、捕獲対象動物が好む餌などの誘引物を置いておく。
【００５３】
こうした動物捕獲器１を所定の捕獲場所に仕掛けておく。この状態では、捕獲対象動物は、入口２から進入して第１の揺動部材５を登り、第１の開口６から上階の第１の通路１１を通って捕獲室３まで、自由に行き来できる。しばらくの期間そうしておいて、捕獲対象動物を自由に行き来させて餌付けを行う。
【００５４】
充分に餌付けされた頃を見計らって、第１の踏み板７が動作するように第１の固定手段８を解除する。第１の揺動部材５は、捕獲対象動物が第１の通路１１に進入するのを受け入れる初期位置にする。こうした動物捕獲器１を餌付けを行った元の捕獲場所に再び仕掛けておく。
【００５５】
一匹目の捕獲対象動物が下階の入口２から進入すると、その一匹目の捕獲対象動物は、第１の揺動部材５の上を登って第１の開口６を通り、上階の第１の通路１１に達する。第１の通路１１を通過するときに、第１の踏み板７に載る。上記第１の開口６から進入した捕獲対象動物が載った重みで、上記第１の揺動部材５が跳ね上がって第１の開口６が塞がれる。第１の揺動部材５が跳ね上がると第２の固定手段９が動作して、第１の揺動部材５が跳ね上げられた状態で戻らないように一時的に固定される。この状態で、第１の開口６が塞がって通れなくなることから、一匹目の捕獲対象動物は出られず、捕獲室３に捕獲される。
【００５６】
一匹目の捕獲対象動物が捕獲されると、第１の揺動部材５は跳ね上げられた状態で戻らないように一時的に固定されている。この状態で、下階の入口２がおなじ下階の第２の通路１２と行き来できるようになる。
【００５７】
したがって、二匹目以降の捕獲対象動物が入口２から進入すると、第２の通路１２を通って捕獲室３に入る。第２の通路１２には、進入した捕獲対象動物の逆戻りを不可能とする第１の逆戻り不能構造部２１および第２の逆戻り不能構造部３１が設けられており、捕獲室３に入った二匹目以降の捕獲対象動物は出られない。
【００５８】
このようにして、一匹だけでなく二匹目三匹目・・・と連続的に捕獲対象動物を捕獲することができる。
【００５９】
上記第２の固定手段９は、動物捕獲器１の外側からの操作によって固定状態を解除しうる解除操作部９ｃを有するため、
動物捕獲器１の外側から解除操作部９ｃを操作して第２の固定手段９の固定状態を解除し、初期状態に戻して同じように繰り返し仕掛けることができる。
【００６０】
上記第１の逆戻り不能構造部２１として、
第２の通路１２に進入した捕獲対象動物がさらに進入するための第２の開口２２と、揺動することにより上記第２の開口２２を開閉する第２の揺動部材２３と、上記入口２から進入して第２の通路１２に進入した捕獲対象動物が載った重みで上記第２の揺動部材２３を跳ね上げて第２の開口２２を開くための第２の踏み板２４とが形成されているため、
二匹目以降の捕獲対象動物が第２の通路１２に進入すると、第２の踏み板２４に載った重みで上記第２の揺動部材２３が跳ね上がって第２の開口２２が開く。第２の開口２２からさらに奥に進むと、第２の踏み板２４への荷重がなくなり、第２の揺動部材２３が戻って第２の開口２２が閉じる。こうして、第２の通路１２に進入した捕獲対象動物が第２の開口２２からさらに奥に進入すると、逆戻りできなくなり、捕獲室３に捕獲される。
【００６１】
上記第２の逆戻り不能構造部３１として、
上記第２の通路１２に進入した捕獲対象動物がさらに進入するための第３の開口３２と、
揺動することにより上記第３の開口３２を開閉し、捕獲対象動物の進入によって開き、捕獲対象動物が通過すると閉じるように構成された第３の揺動部材３３とが形成されているため、
二匹目以降の捕獲対象動物が第２の通路１２に進入すると、捕獲対象動物の進入によって第３の揺動部材３３が揺動して上記第３の開口３２が開く。捕獲対象動物が第３の開口３２を通過すると第３の揺動部材３３が戻って上記第３の開口３２が閉じる。こうして、第２の通路１２に進入した捕獲対象動物が第３の開口３２からさらに奥に進入すると、逆戻りできなくなり、捕獲室３に捕獲される。
【符号の説明】
【００６２】
１：動物捕獲器
２：入口
３：捕獲室
５：第１の揺動部材
５ａ：軸
５ｂ：フック
６：第１の開口
７：第１の踏み板
７ａ：軸
８：第１の固定手段
９：第２の固定手段
９ａ：係止部
９ｂ：軸
９ｃ：解除操作部
１０：露呈開口
１１：第１の通路
１２：第２の通路
１３：仕切り板
１４：規制部材
１５：支持開口
２１：第１の逆戻り不能構造部
２２：第２の開口
２３：第２の揺動部材
２３ａ：軸
２３ｂ：動作片
２４：第２の踏み板
２４ａ：軸
２５：連結部材
２６：壁
３１：第２の逆戻り不能構造部
３２：第３の開口
３３：第３の揺動部材
３３ａ：軸
３３ｂ：切欠部
３４：傾斜板
３５：壁
３６：連通部
３７：遮蔽板
４１：餌付け構造部
【図１】
2014180258.tif 000003
【図２】
2014180258.tif 000004
【図３】
2014180258.tif 000005
【図４】
2014180258.tif 000006